(57)【特許請求の範囲】
【請求項１】
入力した画像信号を間引く工程と、
間引かれた画像信号にキーストーン補正処理を施す工程と、
キーストーン補正処理が施された画像信号を補間処理する工程と
を備えたことを特徴とするプロジェクタの画像補正方法。
【請求項２】
前記キーストーン補正処理を施す工程においては、少なくとも水平方向のキーストーン補正を行うことを特徴とする請求項１記載のプロジェクタの画像補正方法。
【請求項３】
前記画像信号を間引く工程においては、画像信号の縦方向に所定の間隔で間引くことを特徴とする請求項１又は２記載のプロジェクタの画像補正方法。
【請求項４】
前記画像信号を間引く工程においては、画像信号の縦方向に所定の関数演算に従って間引くことを特徴とする請求項１又は２記載のプロジェクタの画像補正方法。
【請求項５】
前記画像信号を間引く工程においては、間引いて無くなってしまうラインのデータを間引かれないラインのデータに合成することを特徴とする請求項３〜４の何れかに記載のプロジェクタの画像補正方法。
【請求項６】
キーストーン補正処理が施された画像信号を補間処理する工程においては、画像信号の間引き方法に対応した補間処理を行うことを特徴とする請求項１〜５の何れかに記載のプロジェクタの画像補正方法。
【請求項７】
入力した画像信号を間引く信号間引き手段と、
間引かれた画像信号にキーストーン補正処理をするキーストーン補正手段と、
前記キーストーン補正処理をする際に一時的に画像信号が記憶される記憶手段と、
キーストーン補正処理が施された画像信号に補間処理をする信号補間手段と
を備えたこを特徴とするプロジェクタ。
【請求項８】
前記キーストーン補正手段は、少なくとも水平方向のキーストーン補正を行うことを特徴とする請求項７記載のプロジェクタ。
【請求項９】
前記信号間引き手段は、画像信号の縦方向に所定の間隔で間引くことを特徴とする請求項７又は８記載のプロジェクタ。
【請求項１０】
前記信号間引き手段は、画像信号の縦方向に所定の関数演算に従って間引くことを特徴とする請求項７又は８記載のプロジェクタ。
【請求項１１】
前記信号間引き手段は、間引いて無くなってしまうラインのデータを間引かれないラインのデータに合成することを特徴とする請求項７〜１０の何れかに記載のプロジェクタ。
【請求項１２】
前記信号補間手段は、前記信号間引き手段の間引き方法に対応した補間処理を行うことを特徴とする請求項７〜１１の何れかに記載のプロジェクタ。
【請求項１３】
操作部を備え、前記キーストーン補正手段は前記操作部からの操作信号に基づいた補正量によりキーストーン補正をすることを特徴とする請求項７〜１２の何れかに記載の記載のプロジェクタ。
【発明の詳細な説明】
【０００１】
【発明の属する技術分野】
本発明はプロジェクタの画像補正方法及びプロジェクタに関し、特にキーストーン補正に関する。
【０００２】
【従来の技術】
プロジェクタは例えばパーソナルコンピュータ等の情報処理装置から出力された表示用画面を拡大してスクリーン等の投影面上に拡大して表示する。そのような場合に、スクリーン面の放射方向に対して画像投影の中心方向が傾いた状態で画像を投影すると、スクリーン面で画像が歪んでしまう。例えばスクリーンに対して上方向又は下方向にずれた方向からプロジェクタの長方形の画像を投射した場合には、スクリーン上に台形の画像が表示される（後述の図５、図６参照）。そこで、原図形と異なる画像が形成される現象を調整して原図形と同じように表示させるための方法がある。これをキーストーン補正といい、各種の処理方法が提案されており（例えば特許文献１参照）、プロジェクタにはその補正のためのキーストーン補正デバイスが用いられている。
【０００３】
【特許文献１】
特開２００２−６３９１号公報
【０００４】
【発明が解決しようとする課題】
プロジェクタに装備されているキーストーン補正デバイスは、補正を行うため入力信号（画像信号）を一旦記憶するためのバッファを持っている。ところが、水平方向のキーストーン補正においては、傾斜角度に応じたライン数のデータを記憶する必要があることから、そのバッファの容量によって補正量が制限されていた（後述の図７参照）。このため、その容量を越えた補正を行うためには、キーストーン補正デバイス自体の改修、変更等を必要としていた。
【０００５】
本発明は、このような問題点を解決するためになされたものであり、キーストーン補正を行う上で、仮に同じキーストーン補正デバイスを用いてもより大きな補正を可能にしたプロジェクタの画像補正方法及びプロジェクタを提供することを目的とする。
【０００６】
【課題を解決するための手段】
本発明に係るプロジェクタの画像補正方法は、入力した画像信号を間引く工程と、間引かれた画像信号にキーストーン補正処理を施す工程と、キーストーン補正処理が施された画像信号を補間処理する工程とを備えたものである。本発明においては、キーストーン補正処理を施す前の段階において、画像信号を間引くようにしたので、キーストーン補正処理を施す際の信号の量を少なくし、そして、キーストーン補正処理が施された画像信号を補間処理して元に戻すようにしたので、例えば同じキーストーン補正デバイスを用いてもより大きな補正が実質的に可能になっている。
【０００７】
また、本発明に係るプロジェクタの画像補正方法は、前記キーストーン補正処理を施す工程においては、少なくとも水平方向のキーストーン補正を行う。水平方向のキーストーン補正を行うには例えばキーストーン補正デバイスのバッファの容量によって補正量が制限されるが（換言すれば、バッファの容量により補正量が制約を受ける）、その前の段階において画像信号を間引くようにしたので、キーストーン補正処理を施す際の信号の量を少なくし、そして、キーストーン補正処理が施された画像信号を補間処理して元に戻すようにしたので、水平方向のより大きなキーストーン補正が実質的に可能になっている。
【０００８】
また、本発明に係るプロジェクタの画像補正方法は、前記画像信号を間引く工程においては、画像信号の縦方向に所定の間隔で間引く。キーストーン補正処理の中でも、水平方向の補正処理をする際には、キーストーン補正デバイスのバッファの容量を大きく多くする必要があるが、画像信号をその縦方向に所定の間隔で間引くことにより、キーストーン補正デバイスのバッファの容量が少なく済む。即ち、バッファの容量が定まっている条件のもとで、実質的により大きな補正をすることができる。
【０００９】
また、本発明に係るプロジェクタの画像補正方法は、前記画像信号を間引く工程においては、画像信号の縦方向に所定の関数演算に従って間引く。例えば画像の種類に応じた関数演算に従って間引くことにより合理的な間引きが可能になる。
【００１０】
また、本発明に係るプロジェクタの画像補正方法は、前記画像信号を間引く工程においては、間引いて無くなってしまうラインのデータを間引かれないラインのデータに合成する。このように残されたラインのデータに間引かれるラインのデータを含ませるようにすることにより補間処理をする際のデータの信頼性を向上させることができる。
【００１１】
また、本発明に係るプロジェクタの画像補正方法は、キーストーン補正処理が施された画像信号を補間処理する工程においては、画像信号の間引き方法に対応した補間処理を行う。
【００１２】
また、本発明に係るプロジェクタは、入力した画像信号を間引く信号間引き手段と、間引かれた画像信号にキーストーン補正処理をするキーストーン補正手段と、前記キーストーン補正処理をする際に一時的に画像信号が記憶される記憶手段と、キーストーン補正処理が施された画像信号に補間処理をする信号補間手段とを備えたものである。本発明においては、キーストーン補正手段によりキーストーン補正処理を施す前の段階において、信号間引き手段により画像信号を間引くようにしたので、キーストーン補正手段によってキーストーン補正処理を施す際の信号の量を少なくなる。そして、キーストーン補正処理が施された画像信号を補間処理して元に戻すようにしたので、同じ容量の記憶手段（バッファ）を用いてもより大きな補正が可能になっている。
【００１３】
また、本発明に係るプロジェクタにおいて、前記キーストーン補正手段は、少なくとも水平方向のキーストーン補正を行う。水平方向のキーストーン補正を行うには例えばキーストーン補正デバイスのバッファの容量によって補正量が制限されるが、その前の段階において画像信号を間引くようにしたので、水平方向のより大きなキーストーン補正が実質的に可能になっている。
【００１４】
また、本発明に係るプロジェクタにおいて、前記信号間引き手段は、画像信号の縦方向に所定の間隔で間引く。上述のように、水平方向の補正処理をする際には、キーストーン補正に用いられる記憶装置（バッファ）の容量を多くする必要があるが、画像信号をその縦方向に所定の間隔で間引くことにより、その記憶装置（バッファ）の容量が少なく済む。即ち、記憶装置（バッファ）の容量が定まっている条件のもとで、実質的により大きな補正量をすることができる。
【００１５】
本発明に係るプロジェクタにおいて、前記信号間引き手段は、画像信号の縦方向に所定の関数演算に従って間引く。
【００１６】
本発明に係るプロジェクタにおいて、前記信号間引き手段は、間引いて無くなってしまうラインのデータを間引かれないラインのデータに合成する。
【００１７】
本発明に係るプロジェクタにおいて、前記信号補間手段は、前記信号間引き手段の間引き方法に対応した補間処理を行う。
【００１８】
本発明に係るプロジェクタは、操作部を備え、前記キーストーン補正手段は前記操作部からの操作信号に基づいた補正量によりキーストーン補正をする。
【００１９】
【発明の実施の形態】
実施形態１．
図１は本発明の実施形態１にプロジェクタの構成を示すブロック図である。このプロジェクタは、ビデオデッキ等の入力信号から画像を表示する最終の液晶パネルまでの全てのＩＣが細分化されている場合の例を示しており、ビデオデコーダー１０、Ａ／Ｄコンバータ−１１、スキャンコンバーター１２、バッファ１３、信号間引きデバイス１４、キーストーン補正デバイス１５、バッファ１６、信号補間デバイス１７、液晶パネルドライバー１８、液晶パネル２０、及びＣＰＵ２１を備えている。また、光源２２及び投射レンズ２３を備えている。なお、図１は、本実施形態１を説明するのに必要な回路構成だけを図示し、他の回路構成は省略してある。
【００２０】
ビデオデコーダー１０は、その出力がスキャンコンバーター１２に接続されており、ビデオデッキからのビデオ信号（コンポジット、Ｓ信号等）を入力してデコードし、デジタル化してスキャンコンバーター１２に出力する。Ａ／Ｄコンバータ−１１は、その出力がスキャンコンバーター１２に接続されており、パソコン等からのＰＣ系の画像信号（ＶＧＡ、ＸＧＡ、ＳＸＧＡ等）を入力し、デジタル化してスキャンコンバーター１２に出力する。スキャンコンバーター１２はバッファ１３及び信号間引きデバイス１４とそれぞれ接続されており、バッファ１３を利用してフレームレートの変換処理を行ってその出力を信号間引きデバイス１４に出力する。
【００２１】
信号間引きデバイス１４は、その出力がキーストーン補正デバイス１５に接続されており、スキャンコンバーター１２からの出力信号を間引いてキーストーン補正デバイス１５に出力する。キーストーン補正デバイス１５は、バッファ１６及び信号補間デバイス１７とそれぞれ接続されており、信号間引きデバイス１４で間引きされた出力信号にバッファ１６を利用してキーストーン補正をかける。信号補間デバイス１７は、その出力が液晶パネルドライバー１８と接続されており、信号間引きデバイス１４によって間引きされた信号を補間するための処理を行って液晶パネルドライバー１８に出力する。液晶パネルドライバー１８は液晶パネル２０を駆動する。液晶パネル２０は例えばＲ（赤）、Ｇ（緑）、Ｂ（青）の３枚のパネル２０Ｒ、２０Ｇ、２０Ｂから構成されており、それぞれのパネルが表示駆動される。
【００２２】
液晶パネル２０（２０Ｒ、２０Ｇ、２０Ｂ）は、液晶パネルドライバー１８によって駆動されると、画像信号に応じて液晶の透過率が制御され、ランプ等の光源２２からの光の透過率が制御されて画像を生成する。液晶パネル２０（２０Ｒ、２０Ｇ、２０Ｂ）に生成された画像は投射レンズ２３を介してスクリーン２４に投射されて拡大表示される。
【００２３】
ＣＰＵ２１は、プロジェクタ全体を制御するものであり、ここでは、リモートコントローラ３０からの操作信号に基づいて、上記のビデオデコーダー１０、Ａ／Ｄコンバータ−１１、スキャンコンバーター１２、信号間引きデバイス１４、キーストーン補正デバイス１５、信号補間デバイス１７及び液晶パネルドライバー１８をそれぞれ制御する。また、本実施形態１において、ＣＰＵ２１は、キーストーン補正デバイス１５における補正量をリモートコントローラ３０からの操作信号に基づいて決定する。
【００２４】
図２は図１のプロジェクタにおけるデータの処理過程を示したフローチャートであり、このフローチャートに従って図１の各部の処理を説明をする。
（Ｓ１）画像信号の入力
ビデオデコーダー１０及びＡ／Ｄコンバーター１１は、外部機器と接続されて、ビデオ系（ビデオデッキ）又はＰＣ系の信号が入力される。ビデオ系信号としては、接続される機器及び入力される信号例として表１に記載のものがある。また、各信号の中にも種類があり、信号の解像度やリフレッシュレートにより表２のような種類があげられる。
【００２５】
【表１】
0003541845.tif 000002
【００２６】
【表２】
0003541845.tif 000003
【００２７】
ＰＣ系信号としては、接続される機器及び入力される信号例として表３に記載ものがある。また、各信号の中にも種類があり、信号の解像度やリフレッシュレートにより表４のような種類があげられる。
【００２８】
【表３】
0003541845.tif 000004
【００２９】
【表４】
0003541845.tif 000005
【００３０】
（Ｓ２）画像信号のデジタル化
上記の処理（Ｓ１）で入力されたアナログの画像信号をデジタルの画像信号に変換する。ここでは、アナログの画像信号を後述のスキャンコンバーター１２で入力可能なようにデジタルの画像信号に変換する。なお、スキャンコンバーター１２の入力がデジタルではなくアナログ入力が可能な場合には、デジタル化は行わなくても良い為この処理は必要なくなる。ビデオ系の信号はビデオデコーダー１０によりデコードされ、また、アナログ信号がデジタル信号に変換される。ＰＣ系の信号はＡ／Ｄコンバーター１１によりアナログ信号がデジタル信号に変換される。出力される信号はビデオデコーダー１０又はＡ／Ｄコンバーター１１の仕様によって異なるが、一般的に表５に示されるような信号となる。
【００３１】
【表５】
0003541845.tif 000006
【００３２】
（Ｓ３）フレーム変換処理
ビデオデコーダー１０又はＡ／Ｄコンバーター１１からのデジタルの画像信号は、信号の種類により入力サイズ／リフレッシュレートが異なるが、スキャンコンバーター１２はそれを一定のサイズ／リフレッシュレートに変換して出力する。出力されるサイズ／リフレッシュレートは下流側の信号間引きデバイス１４の入力仕様、及びそれ以降のデバイスの仕様により決定され、ＣＰＵ２１により制御される。スキャンコンバーター１２から出力される信号は、ビデオデコーダー１０等の出力と同じ形式のデジタル画像信号で出力されるが、周波数、サイズ等が異なったものになる。
【００３３】
（Ｓ４）信号データの間引き処理
信号間引きデバイス１４は、スキャンコンバーター１２から入力されたデジタル画像信号を一定間隔（非線形も考えられる）で欠落させて、欠落後のデジタル画像信号を出力する。即ち、信号間引きデバイス１４は、スキャンコンバーター１２から出力された信号の内、垂直同期信号及び水平同期信号又はデータイネーブルを一定間隔（非線形も考えられる）に欠落させて、その欠落された画像信号をその下流側のキーストーン補正デバイス１５に出力する。それによって、キーストーン補正デバイス１５は、スキャンコンバーター１２から出力された画像信号の全てではなく、一部欠落した画像信号を入力信号として受け取る。
【００３４】
信号間引きデバイス１４によるデータの間引き方法には次のような態様がある。
（ａ）ｎラインの入力に対し１ライン、あるいはｎラインの入力に対しｍライン（ｎ＞ｍ：例えば３ライン中の２ライン）と言うような等間隔に間引く。
（ｂ）間引きデバイス１４の内部に関数を持たせ、その関数演算に従って間引く。（非線形）
（ｃ）横方向も縦方向と同じ又は複合した間引き方で間引く。
（ｄ）単純にデータを間引くのでは無く、間引いて無くなってしまうデータを間引かれないデータに合成させながら間引く。
【００３５】
図３（Ａ）（Ｂ）は信号間引きデバイス１４によるデータの間引き方法の例を示した説明図である。同図（Ａ）は入力２ライン中の１ラインを間引いた場合の例であり、同図（Ｂ）は入力３ライン中の１ラインを間引いた場合の例である。また、上記において間引きの対象となっているラインのデータを残されたデータに合成させるようにしてもよい。
【００３６】
図４はその例を示した説明図である。図４（Ａ）のように３ラインのデータがあって、ラインＬ２のデータ（Ｄ２１，Ｄ２２，…）を間引く際には、図４（Ｂ）に示されるように、ラインＬ２のデータを、ラインＬ１及びＬ３のデータに合成処理を行って、ラインＬ１及びＬ３のデータとして合成処理されたものを採用する。例えば合成後のラインＬ１のデータとして、例えば画素Ｄ１１’のデータは、（Ｄ１１＋Ｄ２１）／２として求められる。他の画素データも同様である。
【００３７】
（Ｓ５）キーストーン補正処理
キーストーン補正デバイス１５は、信号間引きデバイス１４から出力された画像信号に対してキーストーン補正を行い、その補正後の信号を信号補間デバイス１７に出力する。キーストーン補正には一般的に垂直補正及び水平補正があり、また、その各々を複合した補正も可能である。キーストーン補正デバイス１５は、入力された信号の横方向及び縦方向のデータを非線形に圧縮（変形）させる処理を行うことによりキーストーン補正を行うため、圧縮（変形）を行う際に演算処理を行う為のバッファ１６を必要とする。垂直補正時のような水平方向のみの圧縮の場合は水平ライン分のデータ領域を持っていれば良いが、水平キーストーン補正のような縦方向に傾きが発生する場合はそのライン分のバッファを必要とする、このため、そのバッファ１６の容量の限界により補正の傾きが制限されてしまう。（図７参照）
【００３８】
図５（Ａ）（Ｂ）は垂直キーストーン補正の例を示した説明図である。入力信号（画像データ）は四角形であるが、図５（Ａ）に示されるように、そのままプロジェクタの光軸とスクリーン２４との関係から垂直部分が斜めになり、スクリーン画像が、底辺が幅狭の台形になる場合がある。そのような場合には入力信号（画像データ）の画像を底辺が幅広の台形になるようにして補正することによりスクリーン画像が四角形になる。また、図５（Ｂ）に示されるように、スクリーン画像が、底辺が幅広の台形になる場合がある。そのような場合には入力信号（画像データ）の画像を底辺が幅狭の台形になるようにして補正することによりスクリーン画像が四角形になる。
【００３９】
図６（Ａ）（Ｂ）は水平キーストーン補正の例を示した説明図である。入力信号（画像データ）は四角形であるが、図６（Ａ）に示されるように、そのままプロジェクタの光軸とスクリーン２４との関係から水平部分が斜めになり、スクリーン画像が横向きの台形（左側の辺が短い）になる場合がある。そのような場合には入力信号（画像データ）の画像を左側の辺が長い反対向きの台形になるようにして補正することによりスクリーン画像が四角形になる。また、図６（Ｂ）に示されるように、クリーン画像が横向きの台形（右側の辺が短い）になる場合がある。そのような場合には入力信号（画像データ）の画像を右側の辺が長い反対向きの台形になるようにして補正することによりスクリーン画像が四角形になる。
【００４０】
図７は水平キーストーン補正の例とバッファ１６の容量との関係を示した説明図である。バッファ１６は、横方向には、キーストーン補正デバイス１５の処理単位（１回の処理可能な横データ数、この例では１６データ分）からなり、縦方向には所定のライン数分（図示の例においては５ライン分）の容量を持っているものとする。このバッファ１６の場合には、最大で横１６データに対して縦方向に５データの傾きを持つキーストーン補正が可能になっている。このため、それを越えるようなキーストーン補正、即ち、最大で横１６データに対して縦方向に６データ以上の傾きを持つキーストーン補正を行おうとしてもできないことになる。しかし、本実施形態１においては、信号間引きデバイス１４によるデータの間引きを既に行っているので、例えば図３（Ａ）に示されるように２ライン中の１ラインを間引きした場合には、後述するように補間処理をすることにより、最大で横１６データに対して縦方向に１０データの傾きを持つキーストーン補正が可能になっている。また、図３（Ｂ）に示されるように３ライン中の１ラインを間引きした場合には、後述するように補間処理をすることにより、最大で横１６データに対して縦方向に７データの傾きを持つキーストーン補正が可能になっている。
【００４１】
（Ｓ６）データ補間処理
信号補間デバイス１７は、キーストーン補正デバイス１５から出力された信号の補間処理を行って液晶パネルドライバー１８に出力する。キーストーン補正デバイス１５から出力された信号は信号間引きデバイス１４により一定のデータが欠落したデータとなっている為に、欠落した部分の補間処理を行って液晶パネルドライバー１８に出力する。信号補間デバイス１７において補間処理を行うことで縦方向のデータの数（ライン数）が増加し、出力の傾きが増加する。この補間方法についてはその補間用ＩＣの種類により色々ある。従来は、キーストーン補正前にデータの間引きを行わない為、傾き補正の限界がキーストーン補正デバイス１５のバッファ１６の容量により決定されていたが、データの間引きを行った後のデータに対してキーストーン補正を行い、間引いた分のデータを補間することで水平ラインの傾きがバッファ１６の容量を変更せずに増加させることが出来る。
【００４２】
図８は信号補間デバイス１７の補間方法の説明図であり、ここでは信号間引きデバイス１４による間引き方法に対応した補間処理を行う。信号間引きデバイス１４において例えば図３（Ａ）に示されるような間引き処理を行ったものとし、キーストーン補正デバイス１５によるキーストーン補正の結果が、図８（Ａ）に示されるように、横方向１６データに対して縦方向５データの傾きを持つデータをもっているものとする。このようなデータに対しては縦方向の５ラインの各データ間にそれぞれ１ラインを補間して挿入する補間処理を行う。このような補間処理を行うことにより、横方向１６データに対して縦方向９データの傾きを持つデータが得られる。
【００４３】
（Ｓ７）パネル駆動信号の作成
液晶パネルドライバー１８は、信号補間デバイス１７により補間処理された信号に基づいて液晶パネルの駆動（制御）信号を作成し、その出力で液晶パネル２０を駆動（制御）する。
【００４４】
（Ｓ８）液晶パネル表示
液晶パネル２０（２０Ｒ、２０Ｇ、２０Ｂ）は、液晶パネルドライバー１８によって駆動されると、画像データに応じて液晶の透過率が制御され、ランプ等の光源２２からの光の透過率が制御されて画像を生成する。そして、液晶パネル２０（２０Ｒ、２０Ｇ、２０Ｂ）に生成された画像は投射レンズ２３を介してスクリーン２４に投射されて拡大表示される。その拡大表示された画像はキーストーン補正がなされており、四角形となっている。特に、本実施形態１においてはキーストーン補正をする際の水平方向の傾斜角が拡大されているので、スクリーン２４と投射レンズ２３の光軸とが大きくずれているような場合においても適切に対応することが可能になっている。
【００４５】
以上のように本実施形態１においては、信号間引きデバイス１４により画像信号を間引いてから、キーストーン補正デバイス１５によりキーストーン補正をして、その後に、信号補間デバイス１７によりキーストーン補正デバイス１５から出力された信号の補間処理を行って液晶パネルドライバー１８に出力するようにしたので、キーストーン補正処理において、水平ラインの傾きがバッファ１６の容量を変更せずに増加させることが出来る。
【００４６】
実施形態２．
図９は本発明の実施形態２に係るプロジェクタの構成図である。本実施形態２においては、キーストーン補正部１５ａ、信号補間部１７ａ、スキャンコンバーター部１２ａ及びバッファ１６ａ，１３ａが統合化されたＩＣ２５を使用した場合の例である。
【００４７】
本実施形態２においては、ビデオデコーダー１０又はＡ／Ｄコンバータ−１１によりデジタル化された信号は、信号間引きデバイス１４により間引かれてＩＣ２５に出力される。この信号間引きデバイス１４における信号の間引き方法は上記の実施形態１と同様である。ＩＣ２５のキーストーン補正部１５ａは間引き処理された信号についてキーストーン補正を施して信号補間部１７ａに出力する。
このときのキーストーン補正は、リモートコントローラ３０からの操作量をＣＰＵ２１が受信し、ＣＰＵ２１が受信した操作量に基づいてキーストーン補正部１５ａに制御量を出力して決められる。信号補間部１７ａはキーストーン補正が施された信号を補間処理し、スキャンコンバーター部１２ａに出力する。スキャンコンバーター部１２ａはフレームレートの変換処理を行って液晶パネルドライバー１８に出力する。液晶パネルドライバー１８は液晶パネル２０を駆動し、液晶パネル２０は、画像データに応じて液晶の透過率が制御され、ランプ等の光源２２からの光の透過率が制御されて画像を生成する。液晶パネル２０（２０Ｒ、２０Ｇ、２０Ｂ）に生成された画像は投射レンズ２３を介してスクリーン２４に投射されて拡大表示される。その拡大表示された画像は上記のキーストーン補正がなされて四角形となる。
【００４８】
本実施形態２においては、キーストーン補正部用のバッファ１６ａがＩＣ２５に内蔵されており、その容量が変更できないことからキーストーン補正量が制約を受けることになるが、信号間引きデバイス１４により信号を間引いてからキーストーン補正をすることによりその制約が解かれて補正量が拡大するので、その効果には顕著なものがある。
【００４９】
実施形態３．
なお、上記の実施形態１においては、リモートコントローラ３０の操作によりキーストーン補正の補量が指示される例について説明したが、プロジェクタ本体の傾斜角を検出して、その傾斜角に基づいてキーストーン補正量を求めるようにしてもよい。
【図面の簡単な説明】
【図１】本発明の実施形態１に係るプロジェクタの構成を示すブロック図。
【図２】図１のプロジェクタの処理過程を示したフローチャート。
【図３】データの間引き方法の説明図。
【図４】データの間引き方法の他の例の説明図。
【図５】キーストーン補正の説明図（垂直）。
【図６】キーストーン補正の説明図（水平）。
【図７】キーストーン補正におけるバッファの使用形態の説明図。
【図８】補間処理の説明図。
【図９】本発明の実施形態２に係るプロジェクタの構成を示すブロック図。
【符号の説明】
１０  ビデオデコーダー、１１  Ａ／Ｄコンバーター、１２  スキャンコンバーター、１３  バッファ、１４  信号間引きデバイス、１５  キーストーン補正デバイス、１６  バッファ、１７  信号補間デバイス、１８  液晶パネルドライバー、２０  液晶パネル、２３  投射レンズ、２４  スクリーン。
【要約】【課題】キーストーン補正を行う上で、同じキーストーン補正用デバイスを用いてもより大きな補正を可能にしたプロジェクタの画像補正方法及びプロジェクタを提供する。
【解決手段】入力した画像信号を間引く信号間引きデバイス１４と、間引かれた画像信号にキーストーン補正処理をするキーストーン補正デバイス１５と、前記キーストーン補正処理を施する際に一時的に映像信号が記憶されるバッファ１６と、キーストーン補正処理が施された画像信号に補間処理をする信号補間デバイス１７とを備えたものである。
【選択図】        図１【図１】
0003541845.tif 000007
【図２】
0003541845.tif 000008
【図３】
0003541845.tif 000009
【図４】
0003541845.tif 000010
【図５】
0003541845.tif 000011
【図６】
0003541845.tif 000012
【図７】
0003541845.tif 000013
【図８】
0003541845.tif 000014
【図９】
0003541845.tif 000015